(57)【要約】【解決手段】バーベル等の運動用具や運動機械用の抵抗セットは、少なくとも３つの異なる抵抗値を有する。一実施形態において、抵抗は、水平に分布したウェイトである。ウェイトは、１つまたは複数の５ポンドウェイト、１つまたは複数の１０ポンドウェイト、１つまたは複数の２０ポンドウェイト、１つまたは複数の４０ポンドウェイト、および１つまたは複数の８０ポンドウェイトといった、抵抗の２進法的な分布を有しうる。ウェイトの様々な組み合わせを選択して所望の合計抵抗を得るために、選択装置が用いられている。一実施形態においては、制御装置が選択装置を動作させ、筋肉の一時的な機能不全等の所定の状態または手動変更ウェイト信号の発生に応答してウェイトを変更する。抵抗セットは、ウェイトスタックの自動制御の簡略化および既存の機械および道具の改装に特に有用である。
2007508115.tif 000002
【特許請求の範囲】
【請求項１】
運動機械用の抵抗システムであって、
少なくとも３つの異なる抵抗値を有する複数の抵抗付与部材と、
前記複数の抵抗付与部材から抵抗付与部材のセットを選択するための選択装置であって、選択されたセットに対する前記抵抗値により、該選択されたセットが選択された場合の前記抵抗システムの合計抵抗が決まる選択装置と、
を備える抵抗システム。
【請求項２】
前記抵抗部材は少なくとも４つの異なる抵抗値を有する、
請求項１に記載の抵抗システム。
【請求項３】
前記抵抗付与部材のうち１つは所定の最小抵抗値を与え、前記抵抗付与部材のうち少なくとも１つは前記最小抵抗値の少なくとも２倍の抵抗値を与え、前記抵抗付与部材のうち少なくとも１つは前記最小抵抗値の少なくとも４倍の抵抗値を与える、
請求項１に記載の抵抗システム。
【請求項４】
前記抵抗付与部材の過半数は、所定の最小抵抗値の偶数倍の抵抗値を与える、
請求項１に記載の抵抗システム。
【請求項５】
前記抵抗部材は、前記選択装置の中心軸を中心とした抵抗分布が実質的に対称となるように、水平に配置されている、
請求項１に記載の抵抗システム。
【請求項６】
前記選択装置は、前記抵抗付与部材の１つの面に沿って配置された実質的に平坦なプレートである、
請求項１に記載の抵抗システム。
【請求項７】
前記選択装置は、作動された際に、対応する抵抗付与部材と係合するように配置された作動装置を有し、前記選択された抵抗付与部材のセットは、前記セットの所望の抵抗付与部材に対応する前記作動装置を作動させることにより選択される、
請求項６に記載の抵抗システム。
【請求項８】
前記選択装置であるプレートは、前記抵抗付与部材の上部に水平に配置されている、
請求項６に記載の抵抗システム。
【請求項９】
前記抵抗付与部材はウェイトである、
請求項１に記載の抵抗システム。
【請求項１０】
前記抵抗付与部材は弾性のコードである、
請求項１に記載の抵抗システム。
【請求項１１】
前記抵抗付与部材は電気機械式である、
請求項１に記載の抵抗システム。
【請求項１２】
ＭＭＦ等の所定の状態が生じた際に、前記選択装置を自動制御して前記抵抗システムの合計抵抗を変更する制御装置をさらに有する、
請求項１に記載の抵抗システム。
【請求項１３】
前記制御装置は、前記運動機械に関連付けられたセンサによる前記所定の状態の検出に応答する、
請求項１２に記載の抵抗システム。
【請求項１４】
前記選択装置は、複数の異なる制御装置によって制御されるように構成されている、
請求項１２に記載の抵抗システム。
【請求項１５】
運動機械用の抵抗システムであって、
互いに水平に配置された複数の抵抗付与部材と、
前記複数の抵抗付与部材から抵抗付与部材のセットを選択するように構成された選択装置であって、選択されたセットに対する前記抵抗値により、該選択されたセットが選択された場合の前記抵抗システムの合計抵抗が決まる選択装置と、
ＭＭＦ等の所定の状態が生じた際に、前記選択装置を自動制御して前記抵抗システムの合計抵抗を変更する制御装置と、
を備える抵抗システム。
【請求項１６】
前記抵抗部材は少なくとも４つの異なる抵抗値を有する、
請求項１５に記載の抵抗システム。
【請求項１７】
前記抵抗付与部材のうち１つは所定の最小抵抗値を与え、前記抵抗付与部材のうち少なくとも１つは前記最小抵抗値の少なくとも２倍の抵抗値を与え、前記抵抗付与部材のうち少なくとも１つは前記最小抵抗値の少なくとも４倍の抵抗値を与える、
請求項１５に記載の抵抗システム。
【請求項１８】
前記抵抗部材は、前記選択装置の中心軸を中心とした抵抗分布が実質的に対称となるように、水平に配置されている、
請求項１５に記載の抵抗システム。
【請求項１９】
前記選択装置は、前記抵抗付与部材の１つの面に沿って配置された実質的に平坦なプレートである、
請求項１５に記載の抵抗システム。
【請求項２０】
前記選択装置は、作動された際に、対応する抵抗付与部材と係合するように配置された作動装置を有し、前記選択された抵抗付与部材のセットは、前記セットの所望の抵抗付与部材に対応する前記作動装置を作動させることにより選択される、
請求項１５に記載の抵抗システム。
【請求項２１】
前記選択装置であるプレートは、前記抵抗付与部材の上部に水平に配置されている、
請求項１５に記載の抵抗システム。
【請求項２２】
運動用の制御可能な抵抗を付与するための抵抗システムであって、
それぞれが前記制御可能な抵抗に含められるように選択が可能である、複数の選択可能なウェイトと、
前記選択可能なウェイトのそれぞれに隣接して配置された選択装置であって、各選択可能なウェイトと対応する複数の作動装置を有し、前記作動装置のうち１つが作動された場合に、前記対応する選択可能なウェイトが前記制御可能な抵抗に含められる選択装置と、
を備える抵抗システム。
【請求項２３】
前記ウェイトのうち１つは所定の最小抵抗値を与え、前記ウェイトのうち少なくとも１つは前記最小抵抗値の少なくとも２倍の抵抗値を与え、前記ウェイトのうち少なくとも１つは、前記最小抵抗値の少なくとも４倍の抵抗値を与える、
請求項２２に記載の抵抗システム。
【請求項２４】
前記ウェイトの過半数は、所定の最小抵抗値の偶数倍の抵抗値を与える、
請求項２２に記載の抵抗システム。
【請求項２５】
前記ウェイトは、前記選択装置の中心軸を中心とした抵抗分布が実質的に対称となるように、水平に配置されている、
請求項２２に記載の抵抗システム。
【請求項２６】
前記選択装置は、前記ウェイトの１つの面に沿って配置された実質的に平坦なプレートである、
請求項２２に記載の抵抗システム。
【請求項２７】
前記選択装置は、作動された際に、対応するウェイトと係合するように配置された作動装置を有し、前記ウェイトは、所望のウェイトに対応する前記作動装置を作動させることにより選択される、
請求項２６に記載の抵抗システム。
【請求項２８】
前記選択装置であるプレートは、前記ウェイトの上部に水平に配置されている、
請求項２２に記載の抵抗システム。
【請求項２９】
ＭＭＦ等の所定の状態が生じた際に、前記選択装置を自動制御して前記抵抗システムの合計抵抗を変更する制御装置をさらに有する、
請求項２２に記載の抵抗システム。
【請求項３０】
前記制御装置は、前記運動機械に関連付けられたセンサによる前記所定の状態の検出に応答する、
請求項２９に記載の抵抗システム。
【請求項３１】
前記選択装置は、複数の異なる制御装置によって制御されるように構成されている、
請求項２９に記載の抵抗システム。
【請求項３２】
少なくとも３つの異なる抵抗値を有する複数の抵抗付与部材と、
前記複数の抵抗付与部材から抵抗付与部材のセットを選択するための選択装置であって、選択されたセットに対する前記抵抗値により、該選択されたセットが選択された場合の前記抵抗システムの合計抵抗が決まる選択装置と、
ユーザによって動かされるように構成された手動操作可能な部材であって、ユーザによる該手動操作可能な部材の動きが前記選択された抵抗付与部材のセットによって付与される抵抗より勝るように、前記選択された抵抗付与部材のセットに連動連結された部材と、
を備える運動機械。
【請求項３３】
前記手動操作可能な部材は、前記選択装置により、前記選択された抵抗付与部材のセットに連動連結されている、
請求項３２に記載の運動機械。
【請求項３４】
前記選択された抵抗付与部材のセットを変更して前記合計抵抗を変更するための制御をさらに含む、
請求項３２に記載の運動機械。
【請求項３５】
ウェイトスタックを有する運動機械を改装するための方法であって、
前記運動機械の既存のウェイトスタックを取り外すステップ、
前記既存のウェイトスタックを、少なくとも３つの異なる抵抗値を有するウェイトセットと交換するステップ、および
前記ウェイトセットにおいてウェイトの様々な組み合わせを選択するように構成された選択装置を設けるステップ、を含む方法。
【請求項３６】
前記ウェイトセットによって付与される前記抵抗を所定の状態に応じて自動的に変更するために制御装置を設けることをさらに含む、請求項３５に記載の方法。
【請求項３７】
運動用具において抵抗を変化させる方法であって、
選択装置を所定の位置に移動させること、
前記選択装置が前記所定の位置にある間に、第１のウェイトセットの係合を解除すること、および
前記選択装置が前記所定の位置にある間に、第２のウェイトセットを係合させることを含み、
前記第２のウェイトセットは、少なくとも３つの異なる抵抗値を有する個別のウェイトを備えている、方法。
【請求項３８】
運動用の制御可能な抵抗を付与するための抵抗システムであって、
それぞれが前記制御可能な抵抗に含められるように選択が可能である、複数の選択可能なウェイトと、
前記選択可能なウェイトのそれぞれに隣接して配置された選択装置であって、各選択可能なウェイトと対応する複数の作動装置を有し、前記作動装置のうち１つが作動された場合に、前記対応する選択可能なウェイトが前記制御可能な抵抗に含められる選択装置と、
前記ウェイトを収容するための基部であって、前記ウェイトを収容するための複数のテーパ状開口部を有する基部と、
を備える抵抗システム。
【請求項３９】
運動器具用のウェイトセットであって、
底部、上部および側部を有し、前記側部が前記底部に向かって少なくともある程度テーパ状になっている、所定の質量を有する第１のウェイトと、
底部、上部および側部を有し、前記側部が前記底部に向かって少なくともある程度テーパ状になっている、前記第１のウェイトの質量のおよそ２倍の質量を有する第２のウェイトと、
底部、上部および側部を有し、前記側部が前記底部に向かって少なくともある程度テーパ状になっている、前記第１のウェイトの質量のおよそ４倍の質量を有する第３のウェイトと、
を備えるウェイトセット。
【発明の詳細な説明】
【技術分野】
【０００１】
関連出願の相互参照
なし。
連邦政府の援助による研究または開発に関する声明
適用なし。
【０００２】
発明の背景
本発明は、運動器具に関し、特に、変化する作業負荷を付与することができる運動器具に関する。
【背景技術】
【０００３】
最大限の利益を得るためには、トレーニング中の運動選手はその体力の最大限度まで自らを追い込まなければならないことが知られている。ベンチプレスマシンやその他の汎用または特殊用途マシンといった従来のウェイトトレーニング器具を用いてこれを達成するのは困難である。なぜなら、一般に、これまで運動選手は、筋肉の一時的な機能不全（ＭＭＦ）の最初の点に達すると運動を中止してきたからである。その時点で、運動選手は使用中のマシンのウェイトを自分で変えなければならないか、あるいは運動選手がマシンの使用を継続できるように別の人が選手のためにウェイトを変更しなければならない。このことにより、運動が不必要に中断されるか、あるいは、別の、運動を行っていないパートナーが常に傍にいることが必要となる。仮に運動選手が１セットの特定の運動中に複数のＭＭＦを経験することができたならば、選手は最終的に自身の絶対疲労点（ＡＦＰ）に到達することになる。しかし、従来の運動器具では、上述の欠点のため、ＡＦＰに到達するのは非常に難しいかあるは不可能である。
【０００４】
ベンチプレスを行ないながら１２０ポンドを持ち上げている運動選手のケースを考えてみる。この運動においては、大胸筋および前部三角筋に直接的な抵抗がかかっている。まもなく、例えば、ほんの１０回の反復が終了した後に、運動選手は、もはやさらなる反復を行なうことができなくなる。直接的な結果として、選手は、より低い重量で運動を継続して最終的には自身のＡＦＰ（ＡＦＰとは、重量が運動選手がスタートした重量の１０％という低いものであっても動きを生じ得ない点である）に到達することが可能であるのにもかかわらず、運動を中止する。この時点で、運動選手が到達したＭＭＦ点は１つだけである。筋肉は３分間でその強度の５０％までを回復することが知られている。これは、運動選手が１２０ポンドのベンチプレスを１０回行なった場合、３分間の休憩の後、選手は反復を６回まで、またはそれ以上行なうことができ、それにより、肥大化に不可欠な複数のＭＭＦに到達することができることを意味する。知られているように、トレーニングの実施および結果の達成に最も重要な鍵は、普通日常的に必要とされる以上に筋肉を使用することである。
【発明の開示】
【発明が解決しようとする課題】
【０００５】
これらの課題の多くは、同一譲受人に譲渡された米国特許第５，３５０，３４４号および第４，７４６，１１３号において対処された。しかし、従来のウェイトスタックは、ＭＭＦ等の状態が生じた際にウェイト抵抗を自動的に変更するシステムに最適ではないことが明らかになった。
【０００６】
例えば、従来のウェイトスタックは、多くの同一のウェイトプレート（当該ウェイトスタックに手動で連結可能な、より小さい第２の値を有するいくつかのウェイトを必要に応じて含む）を含んでいる。このようなシステムにおいてウェイト抵抗を自動的に変更することは、複雑かつ高コストとなりうる。例えば、１つの考えられるアプローチは、運動のその時点における上記スタックの所望のウェイトを選択するために必要に応じて選択が可能な、自動作動可能な個別の選択ピンを各プレートに設けることである。あるいは、１つまたは複数の可動ピンを、適切な抵抗を選択するための所望の位置にウェイトスタックに沿って移動させることが可能である。上記第１の方法は、高コストかつ複雑であり、一方、第２の方法は、単に複雑である。これら両方は改善することが可能である。
【課題を解決するための手段】
【０００７】
発明の要旨
本発明の様々な目的および特徴の中で注目すべきは、ＭＭＦ等の状態に応じてウェイト抵抗の変更を容易にする運動機械用の抵抗システムを提供することである。
【０００８】
本発明の別の目的は、当該分野において既に存在する従来の運動器具に容易に適合可能なシステムを提供することである。
【０００９】
本発明の第３の目的は、経済的かつ信頼性のあるシステムを提供することである。
本発明の他の目的および特徴は、上記および以下において、部分的に明らかとなり、また部分的に指摘される。
【００１０】
簡潔に述べると、本発明の第１の局面において、運動機械用の抵抗システムは、少なくとも３つの異なる抵抗値を有する複数の抵抗付与部材と、複数の抵抗付与部材から抵抗付与部材のセットを選択するための選択装置とを備えている。選択されたセットに対する抵抗値により、その選択されたセットが選択された場合の抵抗システムの合計抵抗が決まる。
【００１１】
本発明の第２の局面において、運動機械用の抵抗システムは、互いに水平に配置された複数の抵抗付与部材を備えている。選択装置が、複数の抵抗付与部材から抵抗付与部材のセットを選択し、選択されたセットに対する抵抗値により、その選択されたセットが選択された場合の抵抗システムの合計抵抗が決まる。制御装置が、ＭＭＦ等の所定の状態が生じた際に、選択装置を自動制御して抵抗システムの合計抵抗を変更する。
【００１２】
本発明の第３の局面において、抵抗システムは、運動機械または運動用具用の制御可能な抵抗を付与する。本システムは、それぞれが制御可能な抵抗に含められるように選択が可能である、複数の選択可能なウェイトを備えている。選択装置が、選択可能なウェイトのそれぞれに隣接して配置されており、この選択装置は、各選択可能なウェイトと対応する複数の作動装置を有し、作動装置のうち１つが作動された場合に、対応する選択可能なウェイトが制御可能な抵抗に含められる。
【００１３】
本発明の第４の局面において、運動機械は、少なくとも３つの異なる抵抗値を有する複数の抵抗付与部材と、複数の抵抗付与部材から抵抗付与部材のセットを選択するための選択装置とを備えている。選択されたセットに対する抵抗値により、その選択されたセットが選択された場合の抵抗システムの合計抵抗が決まる。棒等の手動操作可能な部材は、ユーザによって動かされるように構成されており、ユーザによるその手動操作可能な部材の動きが選択された抵抗付与部材のセットによって付与される抵抗より勝るように、選択された抵抗付与部材のセットに連動連結されている。
【００１４】
本発明の第５の局面において、ウェイトスタックを有する運動機械を改装するための方法は、運動機械の既存のウェイトスタックを取り外すステップ、既存のウェイトスタックを、少なくとも３つの異なる抵抗値を有するウェイトセットと交換するステップ、およびウェイトセットにおいてウェイトの様々な組み合わせを選択するように構成された選択装置を設けるステップを含む。
【００１５】
本発明の第６の局面において、運動用具において抵抗を変化させる方法は、選択装置を所定の位置に移動させるステップ、選択装置が所定の位置にある間に、第１のウェイトセットの係合を解除するステップ、および選択装置が所定の位置にある間に、第２のウェイトセットを係合させるステップを含み、第２のウェイトセットは、少なくとも３つの異なる抵抗値を有する個別のウェイトを備えている。
【発明を実施するための最良の形態】
【００１６】
図面全体を通じて、同様の参照文字は同様の部品を示す。
【００１７】
好適な実施形態の説明
図１を参照すると、本発明の抵抗システム１１は、任意の従来の運動機械１３（同従来の運動機械の一部のみを示す）に関連して使用されるように設計されている。なお、本発明は、いかなる特定の種類の運動機械に限定されるものではなく、むしろ全てに適用が可能であり、そのように使用されることが意図されている。例えば、図１Ａは、使用者が抵抗にさからって運動を行なうために使用している、手動操作可能な部材２を有する従来の運動機械１を示している。図示したこの特定の機械１は、ウェイトスタック（以下に説明）を覆う、表示器４を有するカウリング３を備えている。運動の状態（例えば、速度、力）を検知して抵抗の変化が有益となるのはいつかを判定するために、運動機械のカウリング上の下部または上部のいずれかにセンサ５を配置することが好ましい。従来の意味での運動機械を示しているが、当然ながら、本発明はバーベル等のはるかに単純な機械（用具と呼ぶこともある）にも用いることができるである。すなわち、本発明の変更可能な抵抗は、バーベルの抵抗の変更またはより複雑な運動機械の抵抗の変更にも用いることが可能である。
【００１８】
抵抗システム１１は、少なくとも３つの異なる抵抗値を有する複数の抵抗付与部材１５を備えている。例えば、図１において、抵抗付与部材１５は、それぞれ１９、２１、２３、２５および２７で示される、４ポンド、８ポンド、１６ポンド、３２ポンドおよび６４ポンドのウェイトである。図示したように、対称に配置された各ウェイト値を有する対になっているウェイト（中央のウェイト１９は除く）がバランスをとる目的で設けられている。なお、上記対の構成は本発明にとって望ましいものであるが、必要ではない。
【００１９】
より重要なことは、ウェイト１５は互いに水平に配置され、それによって個々のウェイトは他のウェイトが選択されているかどうかに関わらず独立して選択が可能となっている点である。この特徴により、従来のウェイトスタックに比べて、本発明の非常に高い柔軟性が実現されている。また、最小ウェイト（本例においては４ポンドウェイト）の整数倍である異なるウェイト値が使用されていることにも注目されたい。異なるウェイト値をこのように使用することにより、最小数の実際のウェイトを用いて、合計ウェイトの多数の組み合わせが実現される。すなわち、選択されたセットの抵抗値により、そのセットが選択された場合の抵抗システムの合計抵抗が決まる。
【００２０】
なお、抵抗付与部材１５としては、弾性のコード、緩衝装置、電磁抵抗装置およびばね等のその他の手段を用いてもよい。
【００２１】
複数の抵抗付与部材から抵抗付与部材のセットを選択するための選択装置３１が抵抗付与部材１５の真上に配置されている。図２からわかるように、選択装置３１は、吊上げプレート３３と、プレート３３の適切な凹部３７内に互いに水平に配置された複数の作動装置３５とを備えている。
【００２２】
実際には、それぞれのウェイト抵抗部材１５（すなわち、それぞれの対）は、特定のウェイト（すなわち、ウェイト対）が選択されるように、関連付けられた作動装置３５を有することになる。図２において、図示した作動装置（および凹部）の数は、わかりやすくするために減らしてある。プレート３３は、従来の運動機械の案内ロッド４３を収容するための開口部４１も備えている。（なお、全ての運動機械が案内ロッドを有するわけではなく、案内ロッドは説明のためにのみ図示されている）。図２において、選択装置３１はプレートを有するものとして示すが、作動装置を保持する部材の形状は必要に応じて変更が可能である。
【００２３】
図１を再び参照すると、選択装置３１は、運動機械フレーム４５内の抵抗付与部材１５の上部に配置されるとともに、他端が運動機械のユーザ操作部（図示せず）に連結された従来の吊上げケーブルすなわちベルト４７に取り付けられている。同選択装置（および任意の選択されたウェイト）は、ユーザが吊上げケーブル４７に加えている力に応じて運動機械フレーム４５内を垂直に移動する。
【００２４】
本システムは、ケーブル５３によって選択装置３１に接続されると共に、適切な１つまたは複数のセンサ５５に接続された制御装置５１（図１においては、運動機械フレーム４５に取り付けられているものとして示す）も備えている。なお、制御装置は便利な場所であればどこにでも配置することができる。制御装置は、任意の適切なコンピュータまたは回路でありうる。制御装置それ自体に関して特別な点はないため、特定のコンピュータまたは回路は選択の問題である。
【００２５】
制御装置５１は、センサ５５によるＭＭＦ等の状態の検出に応答して、選択装置３１の異なる作動装置３５の作動を制御する。例えば、最も外側のウェイトが連結され、適切な作動装置により吊上げプレート３３と共に移動するとする。また、吊上げプレートの重量が１６ポンドであり、したがって、その時点において吊上げられている合計重量が８０ポンドであるとする。
【００２６】
センサ５５がＭＭＦを示す信号を受信すると、制御装置５１はその状態を識別し、そして、吊上げプレートが図１に示す位置に戻ると、３つの４ポンドウェイト１９の全て、８ポンドウェイト２１の両方および１６ポンドウェイト２３の両方に関連付けられた作動装置を（ケーブル５３を介して）作動させ、合計７６ポンドの重量（吊上げプレートを含む）にする。また、３２ポンドウェイト２５に関連付けられた作動装置を停止させるので、運動が次に反復されると合計重量は減少している。（もちろん、合計重量の変更量は、特定のユーザまたは特定の運動による要望または要求により、この最小の増加量ではないかもしれない）。また、操作について、ＭＭＦとの関連で説明したが、その他の任意の状態をトリガイベントとして用いてもよい。
【００２７】
図３を参照すると、本発明の抵抗システムの別の実施形態が示されている。本実施形態において、吊上げ部材は、車軸６３上に取り付けられたシリンダ６１である。吊上げベルト４７が移動することにより、シリンダがその車軸を中心に回転し、取り付けられたウェイトが上下動する。
【００２８】
この特定の実施形態において、ウェイトは、上述の実施形態のように対で配置されていない（しかしながら、ウェイトが対で配置されるか否かは、いずれの実施形態に関しても最も広い意味における本発明の一部を構成していない）。単一のウェイト６５、６７、６９、７１、７３および７５（それぞれ、４ポンド、８ポンド、１６ポンド、３２ポンド、６４ポンドおよび１２８ポンドのウェイトを有する）がストラップ７７によって吊上げシリンダすなわちドラム６２に連結されている。作動装置３５（図示せず）は、ドラム６２の内部に取り付けられているので、制御装置５１（同じく図３に図示せず）の制御下で、ウェイトのあらゆる組み合わせをドラムに取り付けたり取り外したりすることができる。ドラムが（吊上げベルト４７に加えられた力によって）回転すると、作動されたウェイトは吊上げられたり、下げられたりする。ＭＭＦ等の状態が生じた時点で、制御装置は、作動装置を適切に制御することにより重量を変更する。
【００２９】
図４および図４Ａを参照すると、本発明は非常に多様なウェイト構成および配置に用いることができることがわかる。例えば、図４は１３個のウェイトのセット８１〜９３を示している。各ウェイトは、当該ウェイトを（以下に説明するように）選択するために、対応する作動装置のロッドを受け入れるための突出部（図示せず）を備えている。ウェイトは垂直に伸びており、それぞれが個別におよびまとめて選択装置によって選択が可能なように全て実質的に同一の高さにある。ウェイトは、好ましくは、ウェイトをそれぞれの静止位置に保持する上面が開放された基部（以下に図６に関連して述べる）に位置している。例として、ウェイト８１、８７および９３は４ポンドウェイトであり、ウェイト８２および９２は３２ポンドウェイトであり、ウェイト８３および９１は８ポンドウェイトであり、ウェイト８４および９０は１６ポンドウェイトであり、ウェイト８５は２ポンドウェイトであり、ウェイト８６および８８は６４ポンドウェイトであり、ウェイト８９は１ポンドウェイトである。
【００３０】
各ウェイトの突出部は、選択装置９４がウェイトの真上の定位置にある場合、対応する作動装置および選択装置の突起部の間に伸びている。例えば、ウェイト８１の作動装置は作動装置８１Ａであり、対応する突起部は８１Ｔである。選択装置が定位置にある場合、制御装置５１は、例えば、作動装置８２Ａ、８４Ａおよび８５Ａの係合を解除（それによりウェイト８２、８４および８５を解放）し、作動装置９１Ａおよび９２Ａを係合させることにより、重量を５０ポンドから４０ポンドに変更することができる。もちろん、ウェイトの他の様々な組み合わせを用いてもよい。
【００３１】
本発明は、既存の運動機械用の改装部品キットに用いるのに特に適しているが、全く新しい運動機械を作製するために用いることもできる。例えば、図５には、本発明のウェイト抵抗システムを用いたバーベルが示されている。もちろん、本発明は任意のその他の種類のフリーウェイトマシンにも適用が可能である。バーベルのバー１０１は、その両側にウェイトセットの上に配置された２部型選択装置１０３に接続されているものとして示されている。各セットのウェイトは、例えば、５ポンド、１０ポンド、２０ポンド、４０ポンドおよび８０ポンドである。選択装置がウェイトの真上にくる定位置までバーが下げられると、重量抵抗は上記に説明したのと同様に変更することができる。すなわち、各ウェイトには（選択装置内に）これに関連付けられた作動装置および突起部があるので、選択装置が定位置である時に対応する作動装置を作動させることにより、ウェイトが選択され（バーベルの重量に加えられ）、対応する作動装置を停止させることにより他のウェイトは（必要に応じて）未選択状態となる（バーベルの重量から除外される）。選択装置１０３を有するバーベル１０１は、図示するようなウェイトトレーニングベンチ１０５と共に用いてもよく、あるいは任意の従来の他の方法で用いてもよい。必要であれば、フットペダル１０７を含めて、選択装置１０３に対してウェイトを変更するための信号を付与してもよい。
【００３２】
図６を参照すると、本発明の一実施形態において、ウェイトは基部１１１内に位置している。本実施形態のウェイトは、図６に示すようにそれらの下端においてテーパ状になっており、基部１１１は、これに応じたテーパ形状を有する、対応するウェイトを受け入れるような大きさに形成された開口部１１３を有する。すなわち、各ウェイトに対して開口部が設けられおり、各開口部は、その対応するウェイトを受け入れるような大きさに形成されている。テーパ状の開口部１１３により、ウェイトは、静止位置に下げられた際に、対応する開口部内に確実に導かれる。これにより、ウェイトが常に選択／選択解除のための所望の位置にくることが確実となる。なお、図６に示すテーパ量は必要に応じて変更することが可能である。図６において、１つのウェイト８６は基部内の静止位置において示されており、一方、ウェイト８１および８９は、それぞれの開口部１１３内に下降中の様子が示されている。
【００３３】
なお、本発明は、それ自体が大きな設計の融通性を実現しているので、様々な方法で実施されうる。
【００３４】
上記に鑑み、本発明の様々な目的および特徴が達成され、その他の有利な結果が得られることがわかる。上記の構造および方法は、本発明の範囲を逸脱することなく種々の変更が可能であるため、上記の説明に含まれる、または添付の図面に示す全ての事項は、制限的な意味においてではなく例示として解釈されるべきである。
【図面の簡単な説明】
【００３５】
【図１】本発明の運動抵抗システムの正面図である。
【図１Ａ】本発明の運動抵抗システムを用いた例示的な運動機械の斜視図である。
【図２】図１の運動抵抗システムの選択／吊上機構を示す分解斜視図である。
【図３】本発明の運動抵抗システムの別の実施形態の正面図である。
【図４】本発明の別のウェイトスタックの簡略上面図である。
【図４Ａ】図４のウェイトスタックと共に用いられている選択装置の上面図である。
【図５】ウェイトベンチ上でバーベルと共に用いられている本発明の上面図である。
【図６】本発明のウェイトスタックに必要に応じて設けられる基部の一部を示す断面図である。
【図１】
2007508115.tif 000003
【図１Ａ】
2007508115.tif 000004
【図２】
2007508115.tif 000005
【図３】
2007508115.tif 000006
【図４】
2007508115.tif 000007
【図４Ａ】
2007508115.tif 000008
【図５】
2007508115.tif 000009
【図６】
2007508115.tif 000010
【国際調査報告】
2007508115.tif 000011
2007508115.tif 000012
2007508115.tif 000013
2007508115.tif 000014